(57)【特許請求の範囲】
【請求項１】
成形ローラ（７）を装着するローラシャフト（８）を一対の軸受スタンド（３），（４）に跨って回転自在に軸支した構造において、前記ローラシャフト（８）を、一方の軸受スタンド（３）に軸支した第１シャフト（８Ａ）と、他方の軸受スタンド（４）に軸支した第２シャフト（８Ｂ）とに分割し、第１シャフト（８Ａ）の分割側端部には成形ローラ（７）と、該成形ローラ（７）の軸方向の位置決めを兼ねた第１カップリング（１７）とを軸方向に挿脱自在に装着する一方、第２シャフト（８Ｂ）の分割側端部には前記第１カップリング（１７）に連結される第２カップリング（１９）を固設すると共に、該第２シャフト（８Ｂ）を他方の軸受スタンド（４）に対して、少くとも前記第１カップリング（１７）と成形ローラ（７）の挿脱作業が可能な間隔を確保できるストロークで軸方向にスライド自在に軸支し、かつ、該第２シャフト（８Ｂ）を付勢手段（２２）により第１シャフト（８Ａ）側に向けて軸方向に付勢したことを特徴とする成形ロール装置。
【請求項２】
第２シャフト（８Ｂ）の他端は、他方の軸受スタンド（４）の外側に突出し、該突出端部に操作ノブ（２４）を設けたことを特徴とする請求項１に記載の成形ロール装置。
【発明の詳細な説明】
【０００１】
【発明の属する技術分野】
本発明は金属板等を各種の凹凸形状に成形する成形ロール装置に関する。
【０００２】
【従来の技術】
金属板等を例えば波形成形する場合、成形しようとする金属板波形に対応した凹凸を周面に形成した上下一対の成形ローラが用いられるが、この成形ローラの支持形態としてはローラシャフトを１つの軸受スタンドに片持ち支持して該ローラシャフトの端部に成形ローラを設ける場合と、成形ローラを設けたローラシャフトを一対の軸受スタンドで両持ち支持する場合とがある。
【０００３】
【発明が解決しようとする課題】
例えば、波形形状や波形ピッチの異なる複数種類の波形金属板を成形しようとした場合、該成形しようとする金属板波形に見合った周面凹凸形状の成形ローラが用いられるが、前者のローラシャフトを片持ち支持した構成のものでは、成形ローラをローラシャフト端に着脱自在に装着し得るように構成することは比較的容易で、ローラシャフト端の成形ローラのみを交換することによって要望に対応することができる反面、ローラシャフトを軸受スタンドに片持ち支持しているため、ローラシャフトの支持剛性が低く金属板の成形が不安定になる可能性がある。
【０００４】
他方、ローラシャフトを両持ち支持したタイプのものでは片持ち支持タイプのもののような支持剛性上の不安要素はないが、ローラシャフトを一対の軸受スタンドで軸支していて成形ローラのみの交換が行えない専用機となってしまうことから、異種類の波形金属板を成形する場合には装置全体を交換しなければならず、設備的におよびコスト的に不利となってしまう。
【０００５】
そこで、本発明は支持剛性の高い両持ち支持タイプの構成を踏襲しながらも、成形ローラのみを容易に交換することができる成形ロール装置を提供するものである。
【０００６】
【課題を解決するための手段】
請求項１の発明にあっては、成形ローラを装着するローラシャフトを一対の軸受スタンドに跨って回転自在に軸支した構造において、前記ローラシャフトを、一方の軸受スタンドに軸支した第１シャフトと、他方の軸受スタンドに軸支した第２シャフトとに分割し、第１シャフトの分割側端部には成形ローラと、該成形ローラの軸方向の位置決めを兼ねた第１カップリングとを軸方向に挿脱自在に装着する一方、第２シャフトの分割側端部には前記第１カップリングに連結される第２カップリングを固設すると共に、該第２シャフトを他方の軸受スタンドに対して、少くとも前記第１カップリングと成形ローラの挿脱作業が可能な間隔を確保できるストロークで軸方向にスライド自在に軸支し、かつ、該第２シャフトを付勢手段により第１シャフト側に向けて軸方向に付勢したことを特徴としている。
【０００８】
請求項２の発明にあっては、請求項１に記載の第２シャフトの他端は、他方の軸受スタンドの外側に突出し、該突出端部に操作ノブを設けたことを特徴としている。
【０００９】
【発明の効果】
請求項１に記載の発明によれば、ローラシャフトは一対の軸受スタンドに跨って回転自在に軸支した両持ち支持構造としてあるため高い支持剛性が得られることは勿論、第１カップリングと第２カップリングとの連結を解除して、第２シャフトを第１シャフトと離間する方向に軸方向へスライドさせることによって、第１シャフトの分割側端部に装着した第１カップリングと成形ローラとを容易に脱着することができる。
【００１０】
従って、金属板等を異なる形状等に成形する場合には、成形ローラのみを交換することができて専用機となることがないので設備的におよびコスト的に有利に得ることができる。
【００１１】
また、第２シャフトは付勢手段により第１シャフト側に向けて軸方向に付勢してあるため、第１シャフトの分割側端部に成形ローラと第１カップリングとを装着した時は、該付勢手段によって第２シャフトが第１シャフト側に自動復帰して第２カップリングを第１カップリングに突き合わせて仮り保持もしくは連結させることができ、従って、これら第１，第２カップリングの連結による成形ローラの固定作業を容易に行うことができる。
【００１２】
請求項２に記載の発明によれば、請求項１の発明の効果に加えて、第２シャフトの軸受スタンド外に突出した端部には操作ノブを設けてあるため、該操作ノブを把持して第２シャフトの軸方向のスライド操作を容易に行うことができる。
【００１３】
【発明の実施の形態】
以下、本発明の一実施形態を図面と共に詳述する。
【００１４】
図１はアッパローラ１Ａとロアローラ１Ｂとを備えた成形ロール装置を示し、これらアッパローラ１Ａ，ロアローラ１Ｂはスタンドベース２上に立設した一対の軸受スタンド３，４に跨って両持ち支持してある。
【００１５】
アッパローラ１Ａは軸受スタンド３，４に設けたアッパ側高さ調節機構５に装着されている一方、ロアローラ１Ｂは軸受スタンド３，４に設けたロア側高さ調節機構６に装着され、これら高さ調節機構５，６の高さ調節ねじ５ａ，６ａのねじ込み調整によって地上高を調節して、後述する成形ローラ７，７間の間隔を任意に調節できるようにしてある。
【００１６】
アッパローラ１Ａの軸受本体９，１１はアッパ側高さ調節機構５の調節ねじ５ａの下端に固設したリテーナ５ｂにボルト１４固定してある一方、ロアローラ１Ｂの軸受本体９，１１はロア側高さ調節機構６の調節ねじ６ａの上端に固設したリテーナ６ｂにボルト１４固定してある。
【００１７】
アッパローラ１Ａ，ロアローラ１Ｂの各成形ローラ７を装着するローラシャフト８は、軸受スタンド３の軸受本体９にボール軸受１０を介して回転自在に軸支した第１シャフト８Ａと、軸受スタンド４の軸受本体１１にボール軸受（スラスト軸受）１２と軸受ブッシュ１３を介して回転自在に軸支した第２シャフト８Ｂとに分割してある。
【００１８】
成形ローラ７は第１シャフト８Ａの分割側端部に軸方向に挿脱自在に嵌装してあると共に、キー１６によって回転止めしてある。
【００１９】
成形ローラ７の中心孔には外側から第１カップリング１７の背面に突設した軸部を挿入して、該第１カップリング１７を成形ローラ７の端面に図外のボルトで固定し、該第１カップリング１７と第１シャフト８Ａに遊挿したスペーサカラー１８とで成形ローラ７の軸方向の位置決めを行っている。
【００２０】
第２シャフト８Ｂの分割側端部には、該端部にキー２６を介して嵌装結合したスペーサ２０の中心孔に外側から第２カップリング１９の背面に突設した軸部を挿入して、該第２カップリング１９をスペーサ２０の端面に図外のボルトで固定してある。
【００２１】
これら第１カップリング１７と第２カップリング１９は、それらの当接面同士を凹凸係合手段２１によって一体的に連結するようにしてあるが、これらは図外のボルト・ナットによって連結するようにしてもよい。
【００２２】
第２シャフト８Ｂは軸受本体４に対して前述の軸受ブッシュ１３により軸方向にスライド自在に軸支してあり、該第２シャフト８Ｂのスライドストロークは、前記第１カップリング１７と成形ローラ７の挿脱作業が可能な間隔を確保できるストロークに設定してある。
【００２３】
前記軸受本体１１内には第２シャフト８Ｂの軸周りに付勢手段としてのコンプレッションコイルスプリング２２を配設してあり、該コンプレッッションコイルスプリング２２のばね力で第２シャフト８Ｂを可動スプリングシート２３および前記スラスト軸受１２を介して第１シャフト８Ａ側に向けて軸方向に付勢し、第２カップリング１９を第１カップリング１７に押圧してそれらの凹凸係合が外れないようにしてある。
【００２４】
また、第２シャフト８Ｂの他端は軸受本体１１の外側に突出しており、該突出端部に操作ノブ２４を嵌装固定してある。
【００２５】
図１中、５ｃはアッパ側高さ調節機構５の高さ調節ねじ５ａの調整操作ハンドル、６ｃはロア側高さ調節機構６の高さ調節ねじ５ｃに螺装したアジャストスクリュー、２５は第１シャフト８Ａの他端に連結されて図外の駆動源の回転動力を伝達する駆動伝達シャフトを示す。
【００２６】
以上の実施形態の構造によれば、ローラシャフト８は一対の軸受スタンド３，４に跨って回転自在に軸支した両持ち支持構造としてあるため高い支持剛性を得ることができる。
【００２７】
このローラシャフト８は前述のように、軸受スタンド３の軸受本体９に回転自在に軸支した第１シャフト８Ａと、軸受スタンド４の軸受本体１１に回転自在に、かつ、軸方向にスライド自在に軸支した第２シャフト８Ｂとに分割してあって、第１シャフト８Ａの分割側端部には成形ローラ７と第１カップリング１７とを軸方向に挿脱自在に装着し、第２シャフト８Ｂの分割側端部には第２カップリング１９を固設してあるから、これら第１，第２カップリング１７，１９の連結を解除（本実施形態では第２シャフト８Ｂを後退スライドさせて両カップリング１７，１９の凹凸係合手段２１の係合を解除）して、第２シャフト８Ｂを所定ストローク後退スライドさせれば、第１，第２カップリング１７，１９間に第１カップリング１７と成形ローラ７の挿脱作業が可能な間隔を確保できるから、これら第１カップリング１７と成形ローラ７とを第１シャフト８Ａ端から容易に外すことができる。
【００２８】
従って、成形目的に応じて成形ローラ７のみを交換することができて成形ロール装置Ｍが専用機となることがなく、この結果、設備的におよびコスト的に有利に得ることができる。
【００２９】
また、前述の第２シャフト８Ｂはコンプレッションコイルスプリング２２によって第１シャフト８Ａ側に向けて軸方向に付勢してあるので、第１シャフト８Ａ端への成形ローラ７と第１カップリング１７の装着後は、このコンプレッションコイルスプリング２２のばね力で第２シャフト８Ｂを第１シャフト８Ａ側に自動復帰させることができて、第１，第２カップリング１７，１９の凹凸係合手段２１を係合させ、これら両カップリング１７，１９の連結と同時に成形ローラ７の固定を行えるのでローラ交換作業を容易に行うことができる。
【００３０】
しかも、この第２シャフト８Ｂの後退スライドはその端部に設けた操作ノブ２４を把持して容易に行うことができる。
【００３１】
図２はこのような成形ロール装置Ｍを２基用いて、帯状の波形金属板の波形ピッチを調整するピッチ調整機構を構成した使用例を示している。
【００３２】
波形金属板５０は図外のカッターロール装置によって所定の波形に連続成形され、水平な作業盤５１のガイド面５２に案内されて幅方向のずれ動きが規制されて図２の矢印方向に送られる。
【００３３】
成形ロール装置Ｍはこの波形金属板５０の送出ラインに沿ってフロント側ＭF とリヤ側ＭR とに多段配置される。
【００３４】
図３に示すように、フロント側ロール装置ＭF の成形ローラ７Ｆはその周面の凹凸ピッチが図外のカッターロール装置のローラ周面の凹凸ピッチよりも小さく、かつ、該カッターロール装置のローラ回転速度よりも遅く設定されている。
【００３５】
リヤ側ロール装置ＭR の成形ローラ７Ｒはその周面の凹凸ピッチがフロント側ローラ７Ｆの周面の凹凸ピッチよりも大きく、かつ、該フロント側ローラ７Ｆの回転速度よりも速く設定されている。
【００３６】
従って、図外のカッターロール装置によって波形成形されてフロント側ロール装置ＭF に送り込まれる波形金属板５０は、フロント側ローラ７Ｆ，７Ｆ間でそれらの周面の凹凸に波形が噛合して、これらフロント側ローラ７Ｆ，７Ｆにより波形金属板５０の送り速度が減速される。
【００３７】
一方、リヤ側ロール装置ＭR に送り込まれる波形金属板５０は、リヤ側ローラ７Ｒ，７Ｒ間でそれらの周面の凹凸に波形が噛合して、これらリヤ側ローラ７Ｒ，７Ｒにより波形金属板５０の送り速度が増大される。
【００３８】
従って、フロント側ローラ７Ｆ，７Ｆと、リヤ側ローラ７Ｒ，７Ｒとの間では、波形金属板５０の波形が伸張されて所要の波形ピッチに予備調整され、リヤ側ローラ７Ｒ，７Ｒ間での波形の矯正成形作用により、波形金属板５０の波形ピッチが本調整されてリヤ側ロール装置ＭR から送り出される。
【００３９】
このように波形金属板５０の波形ピッチ調整機構として本成形ロール装置Ｍを用いた場合、波形金属板５０の波形ピッチを変更する場合には前記フロント側ローラ７Ｆおよびリヤ側ローラ７Ｒを交換する必要があるが、これら成形ローラ７Ｆ，７Ｒの交換作業は操作ノブ２４を把持してローラシャフト８の第２シャフト８Ｂを後退スライドさせることにより、第１シャフト８Ａ端の成形ローラ７Ｆ，７Ｒの脱着を容易に行えて、成形ロール装置Ｍの全体的な交換を伴うことはない。
【図面の簡単な説明】
【図１】本発明の一実施形態を示す断面図。
【図２】同実施形態の使用例を示す斜視図。
【図３】図２に示した成形ロール装置の成形ロールと波形金属板との関係を示す説明図。
【符号の説明】
３，４  塾受スタンド
７  成形ローラ
８  ローラシャフト
８Ａ  第１シャフト
８Ｂ  第２シャフト
１７  第１カップリング
１９  第２カップリング
２２  付勢手段
２４  操作ノブ
【図１】
0003910722.tif 000002
【図２】
0003910722.tif 000003
【図３】
0003910722.tif 000004